(57)【要約】【課題】携帯電話等の対象物に取付けられ、眼鏡クリーナーを備えたストラップ付表面クリーナーであって、眼鏡と携帯情報端末機等の表面の両方の拭き取りを、効率的に行うことが可能であり、使用可能寿命もより長期に維持できるストラップ付表面クリーナーを提供する。【解決手段】内面が眼鏡のクリーナー面である折畳み式のパッド２と、該パッド２を折畳み状態で挿脱可能に収容する開口部３ａを設けた取付ストラップ６付のケース３とを備えたストラップ付の表面クリーナーであって、上記ケース３の表面を情報端末機のディスプレイ用のクリーナーとして形成し、パッド２とケース３を連結ストラップ７で連結し、該連結ストラップ７を、パッド２をケース３より取出す際の把手として構成した。【選択図】図１
0003202058.tif 000002
【実用新案登録請求の範囲】
【請求項１】
内面が眼鏡のクリーナー面である折畳み式のパッド（２）と、該パッド（２）を折畳み状態で挿脱可能に収容する開口部（３ａ）を設けた取付ストラップ（６）付のケース（３）とを備えたストラップ付の表面クリーナーであって、上記ケース（３）の表面を情報端末機のディスプレイ用のクリーナーとして形成したストラップ付表面クリーナー。
【請求項２】
パッド（２）とケース（３）を連結ストラップ（７）で連結し、該連結ストラップ（７）を、パッド（２）をケース（３）より取出す際の把手として構成した請求項１に記載のストラップ付表面クリーナー。
【請求項３】
パッド（２）が二つ折りで弾力性を備えた材料で形成され、ケース（３）内に挿入することによりケース（３）のクリーナー面を外側に弾力的に膨らませる機能を備えてなる請求項１又は２に記載のストラップ付表面クリーナー。
【請求項４】
パッド（２）の折畳み時の内面とケース（３）とを耐水性と弾力性を備え洗浄可能な不織布製とした請求項１，２又は３に記載のストラップ付表面クリーナー。
【請求項５】
ケース（３）を構成する表面壁（４）と裏面壁（５）の開口部以外の周縁（３ｂ）をヒート接着することによりケース（３）を袋状に形成してなる請求項４に記載のストラップ付表面クリーナー。
【請求項６】
連結ストラップ（７）の一端をパッド（２）の折目のコーナー部に取付け、該連結ストラップ（７）の他端と取付ストラップ（６）の両端とをケース（３）の開口部（３ａ）の左右いずかの端部に取付けてなる請求項１，２，３，４又は５に記載のストラップ付表面クリーナー。
【考案の詳細な説明】
【技術分野】
【０００１】
この考案は主として携帯電話等の対象物に取付けられ、眼鏡クリーナーを備えたストラップ付表面クリーナーに関する。
【背景技術】
【０００２】
従来携帯電話機器と眼鏡拭き（クリーナー）を兼ねたケースクリーナーとして特許文献１に示されるものが知られており、この考案は開閉蓋を備えたストラップ付のケースに、二つ折りにしたクリーナーを出し入れ可能に収納するものである。
【先行技術文献】
【特許文献】
【０００３】
【特許文献１】実用新案登録第３１４７５３９号公報
【考案の概要】
【考案が解決しようとする課題】
【０００４】
上記考案のクリーナーは携帯電話器のアクセサリーを兼ね、ストラップ付のケースにクリーナーを収納するので、常に携帯電話器や眼鏡クリーナーを身近に携帯でき、クリーナーの紛失を防止できる利点がある。
【０００５】
しかし、上記考案のものは限られたサイズのクリーナーパッドで携帯電話器表面と眼鏡を頻繁に拭うために、パッド自体の洗浄や交換を頻繁に行う必要があるほか、パッド使用後のケースへの収納忘れや不十分な収納等によりパッドの紛失を招き易いという欠点がある。
【課題を解決するための手段】
【０００６】
上記課題を解決するため、第１に、内面が眼鏡のクリーナー面である折畳み式のパッド２と、該パッド２を折畳み状態で挿脱可能に収容する開口部３ａを設けた取付ストラップ６付のケース３とを備えたストラップ付の表面クリーナーであって、上記ケース３の表面を情報端末機のディスプレイ用のクリーナーとして形成したことを特徴としている。
【０００７】
第２に、パッド２とケース３を連結ストラップ７で連結し、該連結ストラップ７を、パッド２をケース３より取出す際の把手として構成したことを特徴としている。
【０００８】
第３に、パッド２が二つ折りで弾力性を備えた材料で形成され、ケース３内に挿入することによりケース３のクリーナー面を外側に弾力的に膨らませる機能を備えてなることを特徴としている。
【０００９】
第４に、パッド２の折畳み時の内面とケース３とを耐水性と弾力性を備え洗浄可能な不織布製としたことを特徴としている。
【００１０】
第５に、ケース３を構成する表面壁４と裏面壁５の開口部以外の周縁３ｂをヒート接着することによりケース３を袋状に形成してなることを特徴としている。
【００１１】
第６に、連結ストラップ７の一端をパッド２の折目のコーナー部に取付け、該連結ストラップ７の他端と取付ストラップ６の両端とをケース３の開口部３ａの左右いずかの端部に取付けてなることを特徴としている。
【考案の効果】
【００１２】
上記のように構成される本考案のクリーナーによれば、クリーナー用のパッドと表面がクリーナーを兼ねたケースの双方で眼鏡と携帯情報端末機等の表面拭き取りと使い分けることができ且つ二つのクリーナーで拭き取り作業を行うので、それぞれの対象物表面に適したクリーナーを用いることができるほか、クリーナーの拭き取り面の使用可能寿命もより長期に維持できるとともに、取り換えやクリーナー表面の洗浄回数も減らすことができる。
【００１３】
そして連結ストラップにより眼鏡クリーナーの紛失も防止でき、ケースからの取出しも容易であるほか、ケース内にパッドを挿入することにより、情報端末機等の表面クリーナー面が弾力的に膨らむので、クリーナー機能がより発揮し易くなる等の利点がある。
【図面の簡単な説明】
【００１４】
【図１】眼鏡クリーナーを取出した状態の本考案のクリーナーの全体斜視図である。
【図２】眼鏡クリーナーを収納した状態のクリーナーの正面図である。
【図３】眼鏡クリーナーを収納した状態のクリーナーの背面図である。
【図４】本考案のクリーナーの拡大Ａ−Ａ断面図である。
【図５】本考案の他の実施例を示すクリーナーの拡大縦断面図である。
【考案を実施するための形態】
【００１５】
以下図示する本考案の実施形態につき詳述すると、図１〜４はクリーナーの第１実施例を示し、クリーナー１は二つ折りでその内面側が眼鏡のクリーナー面となる上下方向に長方形のパッド（眼鏡クリーナー）２と、該バッド２を折畳み状態で挿脱可能に収容する開口部３ａを上端に設け、左右端及び下端の周縁３ｂをヒート圧着又は接着固定してなる長方形又は正方形の袋状のケース３を備えている。
【００１６】
パッド２は共に耐水性、弾力性を備えた不織布（フェルト）からなる外表面側のカバー部２ａと、内面側のクリーナー部２ｂとをヒート圧着又は接着することによって積層されている。そしてクリーナー部２ｂは特に脂質を十分に払拭できるマイクロファイバー製又はベルベット状のフェルトで構成されている。
【００１７】
これに対しケース３は表面（正面）壁（クリーナー部）４，裏（背）面壁５共に耐水性、弾力性に富む不織布（フェルト）からなり、このうち表面壁４の外表面は携帯電話器その他の携帯端末機（図示しない）のディスプレイ面等の表面の汚れを払拭するクリーナー面を形成しており、高い払拭機能を持たせるために前記同様マイクロファイバー又はベルベット等のフェルトで構成してもよい。
【００１８】
また裏面壁５は図４に示すように２枚の表面シート５ａと内面シート５ｂを重ね合わせて、両者の中間に繊維製のメッシュ材又は布等からなる芯材５ｃを介挿させて両シート５ａ，５ｂの周縁をヒート圧着又は接着剤により接着固定し、全体に一定の厚みと剛性を付与している。
【００１９】
そして上記ケース３には、クリーナー１を携帯電話器等の情報端末機に取付けるためのループ状の取付ストラップ６が取付けられ、さらにケース３とパッド２は、連結ストラップ７によって連結されている。
【００２０】
上記ストラップ６，７の基端部側は共にケース３の上端側左右一側端の貼り合わせ面間に挟み込まれるように挿入されて一体的に熱圧着又は接着固定されており、連結ストラップ７の先端側はパッド２の折目部分の一側端で、カバー部２ａとクリーナー部２ｂの重ね合せ面間に挟み込まれるように挿入され、パッド２と一体的にヒート圧着又は接着固定される。
【００２１】
上記構成においてパッド２はケース３と連結状態のままその開閉端を重ね合せて開口部３ａよりケース３内に図１及び図２の状態に出し入れするとともに、パッド２の取出し時には、図２〜図４に示すようにループ状に上向きに突出した連結ストラップ７を摘んで上向きに引出すことによって行う。
【００２２】
そして眼鏡クリーナーとなるパッド２で眼鏡（図示しない）を払拭するには、図１のように取出されたパッド２を開いてクリーナー部２ｂの上下のクリーナー面間に眼鏡を挿入して眼鏡のガラスの両面の汚れを同時に拭き取る。また携帯電話器（図示しない）のディスプレイ面を拭く際は図２，図４に示すようにパッド２をケース３内に挿入し、ケース３の表面壁４を外側に弾力的に膨らませた状態で該表面壁４の外表面側をクリーナー面とし、上記ディスプレイ面に弾力的に押接しながら汚れを拭き取る。
【００２３】
上記パッド２及びケース３のクリーナー面はいずれも洗浄可能な耐水性を備えているので、繰り返し使用により汚れが蓄積した時は洗剤等を用いて容易に洗浄することができる。なお、上記各フェルトをヒート圧着する場合、少なくとも圧着面には熱可塑性樹脂を予めコーティングし又は塗布して加熱圧着することができる。
【００２４】
図５は第２実施例を示し、図４に該当する拡大縦断面図で、この例ではケース３の表面壁４がクリーナー面となる側の表面シート４ａとケース内面を構成する内面シート４ｂとを、ヒート圧着又は接着により２層に形成した例を示し、それ以外は上述した実施例と共通しており、共通の符号は共通の部材及び機能を備えている。この場合、クリーナー面となる表面シート４ａは前述の例と同様にマイクロファイバー製又はベルベット等のフェルトで構成することができ、表面壁４を二重にすることによりケース４の弾力性を保持しながら形状の安定性が増し、パッド２に対する保持力が増大する。
【符号の説明】
【００２５】
１    クリーナー
２    パッド
３    ケース
３ａ  開口部
３ｂ  周縁（部）
４    表面壁
５    裏面壁
６    取付ストラップ
７    連結ストラップ
【図１】
0003202058.tif 000003
【図２】
0003202058.tif 000004
【図３】
0003202058.tif 000005
【図４】
0003202058.tif 000006
【図５】
0003202058.tif 000007